(57)【要約】【課題】屈曲自在な温熱シートを複数枚直列に接続しておき、加熱する必要のない場所の温熱シートには通電しないようにする。【解決手段】方形格子状に形成されたシリコンゴムから成る絶縁体４内に、発熱線５を埋設固定して屈曲自在なるようにして温熱シート１を形成し、且つ該温熱シート１の１枚を主温熱シート１ａとすると共に、他の温熱シートを副温熱シート１ｂ〜１ｄとして、前記主温熱シート１ａをコントローラーＣに接続し、更に該主温熱シート１ａに１枚または複数枚の副温熱シート１ｂ〜１ｄを順に直列に接続スイッチＳＷ１〜ＳＷ３を介して接続する。【選択図】図４
2005249320.tif 000002
【特許請求の範囲】
【請求項１】
方形格子状に形成されたシリコンゴムから成る絶縁体内に、発熱線を埋設して屈曲自在なるようにして温熱シートを形成し、且つ該温熱シートの１枚を主温熱シートとすると共に、他の温熱シートを副温熱シートとして、前記主温熱シートをコントローラーに接続し、更に該主温熱シートに１枚または複数枚の副温熱シートを順に直列に接続スイッチを介して接続し、前記該主温熱シートと、加熱するのに必要な副温熱シートまでを通電して加熱するようにしたことを特徴とする温熱シートを用いた暖房装置。
【請求項２】
方形格子状に形成されたシリコンゴムから成る絶縁体内に、発熱線を埋設して屈曲自在なるようにして温熱シートを形成し、且つ該温熱シートの１枚を主温熱シートとすると共に、他の温熱シートを副温熱シートとして、前記主温熱シートをコントローラーに接続し、更に該主温熱シートに１枚または複数枚の加熱するのに必要な副温熱シートのみを直列に接続スイッチを介して接続し、前記該主温熱シートと副温熱シートに通電して加熱するようにしたことを特徴とする温熱シートを用いた暖房装置。
【発明の詳細な説明】
【技術分野】
【０００１】
本発明は、方形格子状に形成された屈曲自在な温熱シートを予め複数枚、接続スイッチを介して直列に接続し、加熱する場所の面積に合わせて１枚、または適宜の数の温熱シートに通電して加熱し、加熱する必要のない場所の温熱シートには通電しないようにして効率的に使用することができる温熱シートを用いた暖房装置に関するものである。
【背景技術】
【０００２】
従来、電熱合金の層を格子状とした発熱シートが特許文献１に開示されている。
【０００３】
【特許文献１】実開平１−６８６９１号公報
【０００４】
前記特許文献１に記載のものは、電熱合金の層を格子状とした発熱シートに関するものであるが、温熱シートを予め複数枚直列に接続しておき、加熱する場所の面積に合わせて１枚、または適宜の数の温熱シートに通電して加熱し、加熱する必要のない場所の温熱シートには通電しないようにした温熱シートを用いた暖房装置については何等開示されておらず、また前記暖房装置は実用に供されていなかった。
【発明の開示】
【発明が解決しようとする課題】
【０００５】
前記のように、従来、温熱シートを予め複数枚直列に接続しておき、加熱する場所の面積に合わせて１枚、または適宜の数の温熱シートに通電して加熱し、加熱する必要のない場所の温熱シートには通電しないようにした温熱シートを用いた暖房装置は実用に供されていなかったので、各別の温熱シートを必要に応じて、それぞれ設置場所において改めて設置し、通電加熱しなければならないので、迅速に対応することができず、手間がかかるという課題があった。
【０００６】
本発明は前記課題を解決すべく発明をなしたもので、方形格子状に形成された屈曲自在な温熱シートを予め複数枚、接続スイッチを介して直列に接続しておき、加熱する場所の面積に合わせて１枚、または適宜の数の温熱シートに通電して加熱し、加熱する必要のない場所の温熱シートには通電しないようにして効率的に使用することができる温熱シートを用いた暖房装置を提供することを目的としている。
【課題を解決するための手段】
【０００７】
本発明は、方形格子状に形成されたシリコンゴムから成る絶縁体内に、発熱線を埋設して屈曲自在なるようにして温熱シートを形成し、且つ該温熱シートの１枚を主温熱シートとすると共に、他の温熱シートを副温熱シートとして、前記主温熱シートをコントローラーに接続し、更に該主温熱シートに１枚または複数枚の副温熱シートを順に直列に接続スイッチを介して接続し、前記該主温熱シートと、加熱するのに必要な副温熱シートまでを通電して加熱するという手段、または、
方形格子状に形成されたシリコンゴムから成る絶縁体内に、発熱線を埋設して屈曲自在なるようにして温熱シートを形成し、且つ該温熱シートの１枚を主温熱シートとすると共に、他の温熱シートを副温熱シートとして、前記主温熱シートをコントローラーに接続し、更に該主温熱シートに１枚または複数枚の加熱するのに必要な副温熱シートのみを直列に接続スイッチを介して接続し、前記該主温熱シートと副温熱シートに通電して加熱するという手段、
を採用することにより、上記課題を解決した。
【発明の効果】
【０００８】
本発明温熱シートを用いた暖房装置によれば、使用面積に合わせて、１枚、または適宜の数の温熱シートに通電して加熱し、加熱する必要のない場所の温熱シートには通電しないようにして、電力の無駄な消費を押さえることができる。また本発明はシリコンゴムで発熱線を被覆して形成され、防水性に優れていると共に、屈曲自在であるので、湾曲した面への取付けができ、然も、前記温熱シートの全周面に放熱されるので、特に融雪装置の加熱手段として最適であり、その他床暖房装置、壁暖房装置にも使用することができる等、その用途は広い。
【発明を実施するための最良の形態】
【０００９】
方形格子状に形成された屈曲自在な温熱シートを予め複数枚、接続スイッチを介して直列に接続しておき、加熱する場所の面積に合わせて１枚、または適宜の数の温熱シートに通電して加熱し、加熱する必要のない場所の温熱シートには通電しないようにする。
【実施例】
【００１０】
本発明の実施例を図面に基づいて詳細に説明する。本発明においては、方形格子状に形成された屈曲自在な温熱シート１を複数枚、好ましくは電熱効率の点から４枚を１組として使用する。そして、前記温熱シート１は、特に融雪装置、床暖房装置、または壁暖房装置における加熱手段として使用するに適した構成を有している。
【００１１】
すなわち、温熱シート１は、複数本の縦軸線２１〜２ｎと横軸線３１〜３ｎを間隔を有して直角に交差して、方形格子状に形成されたシリコンゴムから成る絶縁体４内に、１本の発熱線５を埋設して屈曲自在なるようにして形成されている。
【００１２】
前記発熱線５は、図１に示すように、前記絶縁体４を構成する複数本の縦軸線２のうち、一方端側の縦軸線２１において、複数本の横軸線３のうち、上方から２本目の横軸線３２の交点から前記縦軸線２１に沿って下方に延設して、最下方の横軸線３ｎとの交点部分において横方向へ折曲して、該横軸線３ｎに沿って延設し、更に２本目の縦軸線２２との交点部分において、上方向へ折曲して、該縦軸線２２に沿って上方へ延設し、そして更に２本目の横軸線３２との交点部分において横方向に折曲して、該横軸線３２に沿って延設する。
【００１３】
以下、各縦軸線毎に凹凸状に発熱線５を折曲して、絶縁体４内に埋設して行く。そして、他方端側の縦軸線２ｎに沿って、上方端の横軸線３１まで延設された発熱線５は、最上端の横軸線３１に沿って一方端側の縦軸線２１まで延設して、温熱シート１が形成される。すなわち、本発明においては、１本の発熱線５により、広い発熱面積が得られるよう、縦軸線２のほとんどに亘って発熱線５が埋設されている。
【００１４】
本発明は、前記構成より成る温熱シート１を４枚１組として連結する。すなわち、コントローラーＣに接続され、且ついずれの使用形態においても、必ず通電される主温熱シート１ａと該主温熱シート１ａに連結される副温熱シート１ｂと、該副温熱シート１ｂに連結される副温熱シート１ｃと、該副温熱シート１ｃに連結される副温熱シート１ｄとにより形成される。
【００１５】
前記構成より成る温熱シートのうち、主温熱シート１ａにおいては、図３に示すように、一方端側の縦軸線２１と横軸線３２の交点より温熱シート１外へ引き出された発熱線５の一方側は、コントローラーＣの一方側に接続され、また前記縦軸線２１と横軸線３１の交点より温熱シート１外へ引き出された発熱線５の他方側は、コントローラーＣの他方側に接続される。また、前記主温熱シート１ａと副温熱シート１ｂおよび副温熱シート１ｂ〜１ｄの連結は、温熱シート１の縦軸線２ｎと横軸線３ｎおよび３ｎ−１とのそれぞれの交点間の発熱線５を切断し、該発熱線５を該横軸線３ｎおよび３ｎ−１からそれぞれ温熱シート１外へ引き出して行う。
【００１６】
前記構成より成る主温熱シート１ａと副温熱シート１ｂ、並びに各副温熱シート１ｂ〜１ｄの各接続部には、図４に示すように、接続スイッチＳＷ１〜ＳＷ３がそれぞれ配設されて、前記各温熱シート１ａ〜１ｄは直列に接続されている。そして、必要に応じて前記接続スイッチＳＷ１〜ＳＷ３を操作し、主温熱シート１ａの１面のみ、主温熱シート１ａと副温熱シート１ｂの２面、主温熱シート１ａと副温熱シート１ｂ・１ｃの３面、あるいは主温熱シート１ａと各副温熱シート１ｂ〜１ｄの４面に通電して加熱できるよう構成されている。なお、前記副温熱シート１ｄには、更に他の副温熱シートが接続されていないので、他端側には接続スイッチは配設されていない。
【００１７】
前記接続スイッチＳＷは、特に限定する必要はないが、好ましくは図５〜図７に示すように構成することが推奨される。図５は、本発明に使用する接続スイッチＳＷの外観斜視図であり、できるだけ薄く形成することが推奨される。すなわち、基板６の中央部に穿設された円状凹部７内に、外周面に半円状端子８ａ・８ｂを、それぞれ間隔を有して周設した円盤状回転子９を回転自在なるよう装入すると共に、該円盤状回転子９の上下方向にそれぞれ間隔を有して２本ずつ刻設された凹溝１０内に、前段側の温熱シートの発熱線に接続される配線端子１１ａ・１１ｂおよび後段側の温熱シートの発熱線に接続される配線端子１２ａ・１２ｂをそれぞれ装入すると共に、該各配線端子１１ａ・１１ｂおよび１２ａ・１２ｂの先端縁をそれぞれ前記円状凹部７の周壁面に沿って湾曲して配設して、接点部１１ｃ・１１ｄおよび１２ｃ・１２ｄがそれぞれ形成され、更に前記基板の上下部には、前記各配線端子１１ａ・１１ｂおよび１２ａ・１２ｂに接続するコネクター１３の挿入部１４が形成されている。なお、図中、１５は円盤状回転子９を回転させるため、該円盤状回転子９上に刻設されたコイン・ドライバー等の回転補助具（図示せず）を装入する装入溝であり、また１６はスイッチカバーである。
【００１８】
前記各コネクター１３は、前記各配線端子１１ａ・１１ｂおよび１２ａ・１２ｂに接触する接触端子１７ａ・１７ｂおよび１８ａ・１８ｂをそれぞれ備え、且つ該各接触端子１７ａ・１７ｂおよび１８ａ・１８ｂには、前記発熱線５の一方側端部５ａと他方側端部５ｂとが連結され、該各コネクター１３を接続スイッチＳＷの挿入部１４に挿入して各接触端子１７ａ・１７ｂおよび１８ａ・１８ｂをそれぞれ各配線端子１１ａ・１１ｂおよび１２ａ・１２ｂに接触させて、前記円盤状回転子９の操作により、前段側温熱シートと後段側温熱シートを接続、あるいは非接続とすることができる。
【００１９】
前記構成より成る接続スイッチＳＷ１〜ＳＷ３は、主温熱シート１ａと副温熱シート１ｂ間、副温熱シート１ｂと副温熱シート１ｃ間、および副温熱シート１ｃと副温熱シート１ｄ間にそれぞれ取付けられる。前記各接続スイッチＳＷ１〜ＳＷ３の取付位置は限定する必要はないが、図８〜図１１においては、前段側の温熱シートの右側下端部と後段側の温熱シートの左側上端部を接続する位置に取付けられている。
【００２０】
すなわち、前段側の温熱シートの他方端側の縦軸線２ｎと最下方の横軸線３ｎおよび３ｎ−１の交点部分（右側下端部）から引き出された発熱線５に連結するコネクター１３と、後段側に位置する発熱シートの一方端側の縦軸線２１と最上段の横軸線３１および３２の交点部分（左側上端部）から引き出された発熱線５に連結するコネクター１３とを、それぞれ各接続スイッチＳＷの挿入部１４に挿入して接続する。以下同様にして、他の発熱シートと接続スイッチＳＷとをそれぞれ接続する。
【００２１】
図６に示すような位置に接続スイッチＳＷの円盤状回転子９が位置しているときは、各配線端子１１ａ・１１ｂおよび１２ａ・１２ｂの各接点部１１ｃ・１１ｄおよび１２ｃ・１２ｄが、半円状端子８ａ・８ｂと接触状態となるので、前段側の温熱シートと後段側の温熱シートの発熱線５が通電状態である。また、図７に示すような位置に接続スイッチＳＷの円盤状回転子９が位置しているときは、各配線端子１１ａ・１１ｂおよび１２ａ・１２ｂの各接点部１１ｃ・１１ｄおよび１２ｃ・１２ｄが、いずれも半円状端子８ａ・８ｂとが非接触状態であると共に、前段側の温熱シート１の配線端子１１ａ・１１ｂが、半円状端子８ａを介して接触状態であるので、前段側の温熱シートと後段側の温熱シートの発熱線５は通電状態ではない。
【００２２】
従って、主温熱シート１ａはいずれの場合にも通電状態とし、円盤状回転子９の操作により、主温熱シート１ａのみ、主温熱シート１ａと副温熱シート１ｂ、主温熱シート１ａと副温熱シート１ｂ・１ｃ、あるいは主温熱シート１ａと副温熱シート１ｂから１ｄの場合に分けて必要に応じて通電加熱し、不要な場合は通電せず、無駄な電力の消費を押さえることができる。そして、前記温熱シート１ａ〜１ｄが通電加熱されると、該温熱シート１ａ〜１ｄの全周面から放熱される。
【００２３】
図中、Ｃは温熱シート１の温度を制御するコントローラーで、主電源スイッチ１９のＯＮ操作により、点灯して通電状態を表示するランプ２０が装置されると共に、前記発熱線５が予め設定された温度を越えて過熱した場合、バイメタル２１により電源供給を停止するよう構成されている。また、図中、２２は、複数の温熱シート１を一定の温度で発熱させるために、電流を制御する電流調整用コントローラーである。
【００２４】
なお、本発明温熱シートを用いた暖房装置を、融雪装置等、水が接続スイッチＳＷ内に侵入する虞れのある場所で使用する場合は、前記接続スイッチＳＷに防水手段を講ずる必要がある。
【００２５】
本発明の実施例の作用について説明する。図８は、４面の主・副温熱シート１ａ〜１ｄのすべてが接続されている状態を示す説明図であって、接続スイッチＳＷ１〜ＳＷ３すべてがＯＮ状態である。図９は、４面の温熱シートのうち、主温熱シート１ａと副温熱シート１ｂ・１ｃの３面が接続されている状態を示す説明図であって、接続スイッチＳＷ１〜ＳＷ２はＯＮ状態であるが、ＳＷ３はＯＦＦ状態であり、また図１０は、４面の温熱シートのうち、主温熱シート１ａと副温熱シート１ｂの２面が接続されている状態を示す説明図であって、接続スイッチＳＷ１はＯＮ状態であるが、ＳＷ２はＯＦＦ状態であり、更に図１１は、４面の温熱シートのうち、主温熱シート１ａのみがコントローラーＣと接続されて通電している状態を示す説明図であり、接続スイッチＳＷ１がＯＦＦ状態である。
【００２６】
なお、前記図８〜図１１に示す場合においては、接続スイッチＳＷ１〜ＳＷ３は、前記のようなコネクターを用いることなく、図示していないが、各配線端子１１ａ、１１ｂおよび １２ａ、１１ｂに、前段側と後段側に位置する温熱シート１の発熱線５をそれぞれ直接連結固定してもよい。
【００２７】
図１２は、本発明の他の実施例における使用状態を示す概略説明図で、副温熱シート１ｂおよび１ｃのコネクター１３が、接続スイッチＳＷ２・ＳＷ３から取外され、主温熱シート１ａと副温熱シート１ｄとが接続スイッチＳＷ１を介して接続されている。すなわち、図１２においては、主温熱シート１ａと副温熱シート１ｄが接続されて、この２面の温熱シートのみが加熱される。
【００２８】
前記のように、本発明温熱シート装置においては、接続スイッチの操作により主・副温熱シート１ａ〜１ｄのすべて、主温熱シート１ａと副温熱シート１ｂ・１ｃの３面、主温熱シート１ａと副温熱シート１ｂの２面、あるいは主温熱シート１ａのみに通電して加熱し、または、主温熱シート１ａと所望する副温熱シートに通電して加熱し、目的に応じて使い分けることができる。そして、いずれの場合も主温熱シート１ａは必ず通電状態にする必要がある。
【図面の簡単な説明】
【００２９】
【図１】本発明温熱シートを用いた暖房装置に使用する温熱シートの横断平面図である。
【図２】本発明温熱シートを用いた暖房装置に使用する温熱シートの一部縦断面図である。
【図３】本発明温熱シートを用いた暖房装置における主温熱シートとコントローラーの接続状態を示す概略説明図である。
【図４】本発明温熱シートを用いた暖房装置において、各温熱シートを接続スイッチを介して接続した状態を示す概略平面図である。
【図５】本発明温熱シートを用いた暖房装置における接続スイッチの外観斜視図である。
【図６】本発明温熱シートを用いた暖房装置における接続スイッチの作動状態をスイッチカバーを取外して示す断面図である。
【図７】本発明温熱シートを用いた暖房装置における接続スイッチの作動状態をスイッチカバーを取外して示す断面図である。
【図８】本発明温熱シートを用いた暖房装置の使用状態を示す概略説明図である。
【図９】本発明温熱シートを用いた暖房装置の使用状態を示す概略説明図である。
【図１０】本発明温熱シートを用いた暖房装置の使用状態を示す概略説明図である。
【図１１】本発明温熱シートを用いた暖房装置の使用状態を示す概略説明図である。
【図１２】本発明温熱シートを用いた暖房装置の他の実施例における使用状態を示す概略説明図である。
【符号の説明】
【００３０】
Ｃ  コントローラー
ＳＷ１〜ＳＷ３  接続スイッチ
１  温熱シート
１ａ  主温熱シート
１ｂ〜１ｄ  副温熱シート
４  絶縁体
５  発熱線  
【図１】
2005249320.tif 000003
【図２】
2005249320.tif 000004
【図３】
2005249320.tif 000005
【図４】
2005249320.tif 000006
【図５】
2005249320.tif 000007
【図６】
2005249320.tif 000008
【図７】
2005249320.tif 000009
【図８】
2005249320.tif 000010
【図９】
2005249320.tif 000011
【図１０】
2005249320.tif 000012
【図１１】
2005249320.tif 000013
【図１２】
2005249320.tif 000014